(57)【特許請求の範囲】
【請求項１】
枠体と、前記枠体内に配置されるスパンドレルパネルと、前記スパンドレルパネルの室外側に配置される化粧パネルと、前記スパンドレルパネルおよび前記化粧パネルの少なくとも上下または左右の縁部を受ける受け材とを備え、
前記受け材は、前記枠体に取り付けられる取付片部と、前記取付片部から前記受け材の見付け方向に突出する見付け片部と、前記見付け片部よりも室内側に位置する受け片部とを一体に有し、
前記見付け片部は前記化粧パネルの室外面を受け、前記受け片部は前記化粧パネルの室内面および前記スパンドレルパネルの室外面を受ける
ことを特徴とするカーテンウォールユニット。
【請求項２】
請求項１に記載のカーテンウォールユニットにおいて、
前記見付け片部の見付け寸法は、前記受け片部の見付け寸法よりも小さい
ことを特徴とするカーテンウォールユニット。
【請求項３】
請求項１または請求項２に記載のカーテンウォールユニットにおいて、
前記スパンドレルパネルの少なくとも上下または左右の縁部のそれぞれに対する前記受け片部のかかり代の合計は、前記スパンドレルパネルの少なくとも上下または左右の縁部および前記枠体間のクリアランスの合計よりも大きい
ことを特徴とするカーテンウォールユニット。
【請求項４】
請求項１から請求項３のいずれか一項に記載のカーテンウォールユニットにおいて、
前記枠体は、左右の縦枠と、上横枠とを備え、
前記左右の縦枠には、前記受け材が取り付けられ、
前記上横枠には前記化粧パネルの上縁部における室外面が当接し、かつ、前記上横枠には前記化粧パネルの上縁部における室内面を押える押え材が取り付けられ、
前記上横枠および前記押え材間には、前記化粧パネルの上縁部の逃げ空間が形成される
ことを特徴とするカーテンウォールユニット。
【請求項５】
請求項１から請求項４のいずれか一項に記載のカーテンウォールユニットにおいて、
前記取付片部は、前記見付け片部および前記受け片部を連続する連続部と、前記受け片部から室内側に突き出した突出し部とを有し、
前記突出し部の突出寸法は、前記スパンドレルパネルの見込み寸法よりも小さい
ことを特徴とするカーテンウォールユニット。
【発明の詳細な説明】
【技術分野】
【０００１】
本発明は、建物の外壁面を構成するカーテンウォールを構成するカーテンウォールユニットに関する。
【背景技術】
【０００２】
従来、左右の縦枠と無目とによって開口部とスパンドレル部（腰部）とが形成され、開口部はガラスパネルによって室内外に仕切られているカーテンウォールが知られている（特許文献１参照）。
このカーテンウォールのスパンドレル部には、固定枠材によって左右の縦枠に取り付けられた耐火パネルが配置されており、耐火パネルよりも室外側にはガラスパネルが配置されている。
固定枠材は、縦枠への取り付け部と、取り付け部の室内側に連続する室内側アームと、取り付け部の室外側に連続する室外側アームとによって断面略コ字状に形成されている。
【先行技術文献】
【特許文献】
【０００３】
【特許文献１】特開２００６−１１８２２５号公報
【発明の概要】
【発明が解決しようとする課題】
【０００４】
ところで、特許文献１に記載のカーテンウォールでは、耐火パネルがガラスパネルを通じて室外側から視認可能であり、意匠上望ましくない。そこで、耐火パネルの室外面に沿ってエンボスパネルを化粧パネルとして配置して、耐火パネルを室外側から目隠しすることがある。
エンボスパネルを耐火パネルとともに固定枠材によって左右の縦枠に取り付ける場合には、固定枠材のうちエンボスパネルの室外面を受ける室外側アームが室外側から視認されることとなる。
【０００５】
ここで、固定枠材の取り付け部と耐火パネルの左右方向における縁部との間にはクリアランスが形成されて、地震等によって左右の縦枠が揺動したときに当該縦枠が耐火パネルを押し付けない構成とされている。このクリアランスを形成するため、耐火パネルが固定枠材から脱落しないように、固定枠材の室内側アームおよび室外側アームと耐火パネルとの間に所定以上のかかり代が必要である。このため、固定枠材の室外側アームの見付け寸法の設計幅は前述したかかり代の制限を受けることとなる。
【０００６】
本発明の目的は、耐火パネル等のスパンドレルパネルを受ける受け材の室外側の見付け寸法の設計幅の制限を軽減できるカーテンウォールユニットを提供することにある。
【課題を解決するための手段】
【０００７】
本発明のカーテンウォールユニットは、枠体と、前記枠体内に配置されるスパンドレルパネルと、前記スパンドレルパネルの室外側に配置される化粧パネルと、前記スパンドレルパネルおよび前記化粧パネルの少なくとも上下または左右の縁部を受ける受け材とを備え、前記受け材は、前記枠体に取り付けられる取付片部と、前記取付片部から前記受け材の見付け方向に突出する見付け片部と、前記見付け片部よりも室内側に位置する受け片部とを一体に有し、前記見付け片部は前記化粧パネルの室外面を受け、前記受け片部は前記化粧パネルの室内面および前記スパンドレルパネルの室外面を受けることを特徴とする。
【０００８】
本発明のカーテンウォールユニットによれば、スパンドレルパネルの室外面を受ける受け材の受け片部によって化粧パネルの室内面も受け、かつ、化粧パネルの室外面を受け材の見付け片部によって受ける。このため、スパンドレルパネルの受け構造と化粧パネルの受け構造とを縁切りでき、スパンドレルパネルに対する受け片部のかかり代を維持したまま受け材の見付け片部の見付け寸法の設計幅の制限を軽減できる。
【０００９】
本発明のカーテンウォールユニットでは、前記見付け片部の見付け寸法は、前記受け片部の見付け寸法よりも小さいことが好ましい。
このような構成によれば、受け材の受け片部の見付け寸法との関係に制約されることなく、見付け片部の見付け寸法を小さくできる。これにより、当該見付け片部を室外側から目立ちにくくできる。
【００１０】
本発明のカーテンウォールユニットでは、前記スパンドレルパネルの少なくとも上下または左右の縁部のそれぞれに対する前記受け片部のかかり代の合計は、前記スパンドレルパネルの少なくとも上下または左右の縁部および前記枠体間のクリアランスの合計よりも大きいことが好ましい。
このような構成によれば、前述したクリアランスを形成することで、地震等によって枠体がパネル面内方向に揺動した際にスパンドレルパネルを押し付けることを抑制できる。また、スパンドレルパネルに対する受け片部のかかり代の合計が前述したクリアランスの合計よりも大きいため、スパンドレルパネルの枠体に対する揺動によって当該スパンドレルパネルが枠体から脱落するおそれをなくすことができる。
【００１１】
本発明のカーテンウォールユニットでは、前記枠体は、左右の縦枠と、上横枠とを備え、前記左右の縦枠には、前記受け材が取り付けられ、前記上横枠には前記化粧パネルの上縁部における室外面が当接し、かつ、前記上横枠には前記化粧パネルの上縁部における室内面を押える押え材が取り付けられ、前記上横枠および前記押え材間には、前記化粧パネルの上縁部の逃げ空間が形成されることが好ましい。
このような構成によれば、上横枠および押え材間に逃げ空間が形成されるため、地震等によって枠体がパネル面内方向に揺動しても、化粧パネルに枠体が押し付けられることを抑制できる。
【００１２】
本発明のカーテンウォールユニットでは、前記取付片部は、前記見付け片部および前記受け片部を連続する連続部と、前記受け片部から室内側に突き出した突出し部とを有し、前記突出し部の突出寸法は、前記スパンドレルパネルの見込み寸法よりも小さいことが好ましい。
このような構成によれば、スパンドレルパネルの見込み方向において取付片部の突出し部をスパンドレルパネルの室外面および室内面間に納めることができる。
【発明の効果】
【００１３】
本発明によれば、耐火パネル等のスパンドレルパネルの縁部を受ける受け材の室外見付け寸法を小さくできるカーテンウォールユニットを提供できる。
【図面の簡単な説明】
【００１４】
【図１】本発明の実施形態に係るカーテンウォールユニットを示す外観姿図。
【図２】前記実施形態に係るカーテンウォールユニットを示す縦断面図。
【図３】前記実施形態に係るカーテンウォールユニットのスパンドレル部を示す横断面図。
【図４】前記実施形態に係るカーテンウォールユニットのスパンドレル部の上側を示す縦断面図。
【図５】前記実施形態に係るカーテンウォールユニットをスパンドレル部の下側を示す縦断面図。
【発明を実施するための形態】
【００１５】
［本実施形態の構成］
以下、本発明の実施形態を図面に基づいて説明する。
図１，２は、建物２を構成する本実施形態に係るカーテンウォール１を示している。建物２は、梁３と、梁３で支持される床スラブ４とを備えている。床スラブ４の下部には吊り天井５が設置されている。
カーテンウォール１は、床スラブ４に吊られて連結された複数のカーテンウォールユニット１０が上下左右に複数並設されることによって構成されている。
【００１６】
カーテンウォールユニット１０は、枠体１１と、枠体１１内の開口部に配置されるパネル２１，２２と、枠体１１内のスパンドレル部２３に配置される耐火パネル３１（スパンドレルパネル）および化粧パネルとしてのエンボスパネル３２とを備える段窓として構成されている。本実施形態では、パネル２１は単層ガラスパネルによって構成されており、パネル２２は複層ガラスパネルによって構成されている。また、耐火パネル３１はケイ酸カルシウム板によって形成されており、エンボスパネル３２はアルミ曲げ形材によって形成されている。
【００１７】
枠体１１は、アルミ押出し形材によって形成された上枠１２（上横枠）、下枠１３、無目１４および左右の縦枠１５を枠組みして構成されている。
上枠１２、下枠１３、無目１４および左右の縦枠１５は、上側の開口部を形成し、この開口にパネル２１が配置されている。この上側の開口部よりも室内側に位置するスパンドレル部２３に耐火パネル３１およびエンボスパネル３２が配置されている。
下枠１３、無目１４および左右の縦枠１５は、下側の開口部を形成し、この開口部にパネル２２が配置されている。
【００１８】
耐火パネル３１の左右の縁部は、図３に示すように、受け材４０および押え材５１によって左右の縦枠１５にそれぞれ取り付けられている。耐火パネル３１の上縁部は、図４に示すように、押え材５２によって室内側から押えられている。耐火パネル３１の下縁部は、図５に示すように、押え材５３によって室内側から押えられている。
【００１９】
エンボスパネル３２の左右の縁部は、受け材４０によって左右の縦枠１５にそれぞれ取り付けられている。エンボスパネル３２の上縁部は、押え材５４によって室内側から押えられている。エンボスパネル３２の下縁部は、押え材５５によって室内側から押えられている。
【００２０】
受け材４０は、縦枠１５に沿って配置されている。受け材４０は、図３に示すように、縦枠１５に取り付けられる取付片部４１と、取付片部４１に連続する見付け片部４２と、見付け片部４２よりも取付片部４１に連続する受け片部４３とを有している。
【００２１】
取付片部４１は、見付け片部４２および受け片部４３を連続する連続部４１１と、連続部４１１の室内側に連続し、かつ受け片部４３から室内側に突き出した突出し部４１２とを有している。突出し部４１２の室内側への突出寸法は、耐火パネル３１の見込み寸法よりも小さい。この取付片部４１は、突出し部４１２において縦枠１５の見込み片部１５１にビス止めされている。
【００２２】
見付け片部４２は、連続部４１１の室外端に連続している。受け片部４３は、見付け片部４２に対して室外側に間隔を隔てて当該見付け片部４２に沿って配置されている。見付け片部４２の見付け寸法は、受け片部４３の見付け寸法よりも小さく１／３〜１／４程度である。
【００２３】
図３〜５に示すように、押え材５１〜５４はそれぞれ板状に形成されており、押え材５５は断面Ｌ字状に形成されている。押え材５１は、左右の縦枠１５に沿って配置され、当該縦枠１５の室内見付け片部１５２にビス止めされている。押え材５２は、上枠１２に沿って配置され、上枠１２の室内突出し片部１２１にビス止めされている。押え材５３は、無目１４に沿って配置され、無目１４の室内突出し片部１４１にビス止めされている。押え材５４は、上枠１２に沿って配置され、上枠１２の室内見付け片部１２２にビス止めされている。断面Ｌ字状の押え材５５は、無目１４に沿って配置され、無目１４の室内突出し片部１４１にビス止めされている。
【００２４】
耐火パネル３１の左右の縁部における室外面は、左右の受け材４０の受け片部４３に受けられており、耐火パネル３１の左右の縁部における室内面は、左右の押え材５１に受けられている。耐火パネル３１の上縁部における室外面は、押え材５４に受けられており、耐火パネル３１の上縁部における室内面は、押え材５２に受けられている。耐火パネル３１の下縁部における室外面は、押え材５５の立上り片部に受けられており、耐火パネル３１の下縁部における室内面は、押え材５５に受けられている。
【００２５】
耐火パネル３１の左右の縁部と縦枠１５の見込み片部１５１との間には左右方向におけるクリアランスＡ１，Ａ２がそれぞれ形成されている。また、耐火パネル３１の上縁部と上枠１２の室内突出し片部１２１との間にも上下方向におけるクリアランスが形成されている。なお、耐火パネル３１の下縁部は、無目１４の室内突出し片部１４１上のセッティングブロックに載置されている。
耐火パネル３１の左縁部に対する受け片部４３のかかり代Ｂ１と耐火パネル３１の右縁部に対する受け片部４３のかかり代Ｂ２との合計は、耐火パネル３１の左縁部および縦枠１５間のクリアランスＡ１と耐火パネル３１の右縁部および縦枠１５間のクリアランスＡ２との合計よりも大きく設定されている。
【００２６】
エンボスパネル３２の左右の縁部は、連続部４１１、見付け片部４２および受け片部４３によって形成される溝部にそれぞれ配置されている。エンボスパネル３２の左右の縁部における室外面は見付け片部４２にそれぞれ受けられ、エンボスパネル３２の左右の縁部における室内面は、受け片部４３にそれぞれ受けられている。
【００２７】
エンボスパネル３２の上縁部における室外面は、上枠１２の室内見付け片部１２２に受けられており、エンボスパネル３２の上縁部における室内面は、押え材５４に受けられている。上枠１２の室内見付け片部１２２および押え材５４間であってエンボスパネル３２よりも上方部分には、当該エンボスパネル３２の逃げ空間６が形成されている。
エンボスパネル３２の下縁部における室外面は、無目１４の室内見付け片部１４２に受けられており、エンボスパネル３２の下縁部における室内面は、押え材５５に受けられている。
【００２８】
［パネル取付手順］
以下、本実施形態に係るカーテンウォールユニット１０のスパンドレル部２３における耐火パネル３１およびエンボスパネル３２の取付手順について説明する。
まず、エンボスパネル３２の左右の縁部を、受け材４０の見付け片部４２および受け片部４３間にそれぞれ差し込み、左右の受け材４０を左右の縦枠１５の見込み片部１５１にそれぞれビス止めする。続いて、押え材５４を上枠１２にビス止めしてエンボスパネル３２の上縁部を押え、押え材５５を無目１４にビス止めしてエンボスパネル３２の下縁部を押える。このようにしてエンボスパネル３２をセットする。
次に、耐火パネル３１の上下左右の縁部を左右の受け材４０の受け片部４３および押え材５４，５５に当接し、続いて、押え材５１〜５３を上枠１２、無目１４および左右の縦枠１５にビス止めして耐火パネル３１を室内側から押える。このようにして耐火パネル３１をセットする。
以上のようにして、耐火パネル３１およびエンボスパネル３２をスパンドレル部２３に取り付ける。
【００２９】
［本実施形態の効果］
（１）本実施形態では、カーテンウォールユニット１０は、枠体１１と、枠体１１内に配置される耐火パネル３１と、耐火パネル３１の室外側に配置されるエンボスパネル３２と、耐火パネル３１およびエンボスパネル３２の左右の縁部を受ける受け材４０とを備え、受け材４０は、枠体１１に取り付けられる取付片部４１と、取付片部４１から受け材４０の見付け方向に突出する見付け片部４２と、見付け片部４２よりも室内側に位置する受け片部４３とを一体に有し、見付け片部４２はエンボスパネル３２の室外面を受け、受け片部４３はエンボスパネル３２の室内面および耐火パネル３１の室外面を受けることを特徴とする。
上記構成を有するため、耐火パネル３１の室外面を受ける受け材４０の受け片部４３によってエンボスパネル３２の室内面も受け、かつ、エンボスパネル３２の室外面を受け材４０の見付け片部４２によって受けられる。このため、耐火パネル３１の受け構造とエンボスパネル３２の受け構造とを縁切りでき、耐火パネル３１に対する受け片部４３のかかり代Ｂ１，Ｂ２を維持したまま受け材４０の見付け片部４２の見付け寸法の設計幅の制限を軽減できる。
さらに、本実施形態では、以下の各効果を発揮できる。
（２）受け材４０の見付け片部４２の見付け寸法は、受け片部４３の見付け寸法よりも小さく設定される。
このため、受け材４０の受け片部４３の見付け寸法との関係に制約されることなく、見付け片部４２の見付け寸法を小さくできる。これにより、当該見付け片部４２を室外側から目立ちにくくできる。
（３）耐火パネル３１の左右の縁部のそれぞれに対する受け片部４３のかかり代Ｂ１，Ｂ２の合計は、耐火パネル３１の左右の縁部および縦枠１５間のクリアランスＡ１，Ａ２の合計よりも大きく設定される。
このため、前述したクリアランスＡ１，Ａ２を形成することで、地震等によって縦枠１５がパネル面内方向に揺動した際に耐火パネル３１を押し付けることを抑制できる。また、耐火パネル３１に対する受け片部４３のかかり代Ｂ１，Ｂ２の合計が前述したクリアランスＡ１，Ａ２の合計よりも大きいため、耐火パネル３１の縦枠１５に対する揺動によって当該耐火パネル３１がスパンドレル部２３から脱落するおそれをなくすことができる。
（４）枠体１１は、左右の縦枠１５と、上枠１２とを備え、左右の縦枠１５には、受け材４０が取り付けられ、上枠１２にはエンボスパネル３２の上縁部における室外面が当接し、かつ、上枠１２にはエンボスパネル３２の上縁部における室内面を押える押え材５４が取り付けられ、上枠１２および押え材５４間には、エンボスパネル３２の上縁部の逃げ空間６が形成される。
このため、上枠１２および押え材５４間に逃げ空間６が形成されるため、地震等によって枠体１１がパネル面内方向に揺動しても、エンボスパネル３２に枠体１１が押し付けられることを抑制できる。
（５）取付片部４１は、見付け片部４２および受け片部４３を連続する連続部４１１と、受け片部４３から室内側に突き出した突出し部４１２とを有し、突出し部４１２の突出寸法は、耐火パネル３１の見込み寸法よりも小さく設定される。
このため、耐火パネル３１の見込み方向において取付片部４１の突出し部４１２を耐火パネル３１の室外面および室内面間に納めることができる。
（６）耐火パネル３１およびエンボスパネル３２は、枠体１１内のスパンドレル部２３に配置され、受け材４０は、スパンドレル部２３において枠体１１に取り付けられる。
このため、スパンドレル部２３においてエンボスパネル３２を受ける受け材４０の見付け片部４２の見付け寸法を小さくできて、当該見付け片部４２が室外側から目立たないように構成できる。
【００３０】
［変形例］
本発明は、以上の実施形態で説明した構成のものに限定されず、本発明の目的を達成できる範囲での変形例は、本発明に含まれる。
例えば、前記実施形態では、受け材４０は左右の縦枠１５に取り付けられているが、これに加えてまたは代えて、上枠１２や無目１４に受け材４０が取り付けられていてもよい。この場合には、上枠１２や無目１４に取り付けられた受け材４０にエンボスパネル３２の上縁部および下縁部が係合する。またこの場合には、上枠１２に取り付けられた受け材４０の耐火パネル３１に対するかかり代と下枠１３に取り付けられた受け材４０の耐火パネル３１に対するかかり代との合計は、耐火パネル３１の上縁部および上枠１２間のクリアランスと耐火パネル３１の下縁部および無目１４間のクリアランスとの合計よりも大きく設定される。
【００３１】
前記実施形態では、受け材４０の見付け片部４２の見付け寸法は、受け片部４３の見付け寸法よりも小さくされているが、これに限られず、大きくすることもできる。
【００３２】
前記実施形態では、上枠１２および押え材５４間には、エンボスパネル３２の上縁部の逃げ空間６が形成されているが、これに限られず、逃げ空間６が形成されていなくてもよい。
【符号の説明】
【００３３】
１…カーテンウォール、２…建物、３…梁、４…床スラブ、５…吊り天井、６…逃げ空間、１０…カーテンウォールユニット、１１…枠体、１２…上枠、１２１，１４１…室内突出し片部、１２２，１４２，１５２…室内見付け片部、１３…下枠、１４…無目、１５…縦枠、１５１…見込み片部、２１，２２…パネル、２３…スパンドレル部、３１…耐火パネル（スパンドレルパネル）、３２…エンボスパネル（化粧パネル）、４０…受け材、４１…取付片部、４１１…連続部、４１２…突出し部、４２…見付け片部、４３…受け片部、５１〜５５…押え材、Ａ１，Ａ２…クリアランス、Ｂ１，Ｂ２…かかり代。
【図１】
0006505008.tif 000002
【図２】
0006505008.tif 000003
【図３】
0006505008.tif 000004
【図４】
0006505008.tif 000005
【図５】
0006505008.tif 000006